(57)【要約】【課題】釣糸を係止し易く、かつ、係止状態から急激に釣糸が引出される際に容易に係止状態を解除することのできる魚釣用スピニングリールを提供すること。【解決手段】釣糸８が巻回される釣糸巻回胴部１６ａの前部にフランジ１６ｃを配置し、後部にスカート部１６ｂを配置したスプール１６を備え、ハンドル２８の回転操作に連動して回転するロータ１６の釣糸案内部３６を介して、釣糸巻回胴部１６ａの釣糸巻回面１７上に釣糸を巻回する魚釣用スピニングリール１０であって、スプール１６の外面上に釣糸保持部材４６を装着し、釣糸巻回胴部１６ａの釣糸巻回面１７よりも径方向外方部位で、この釣糸保持部材４６と、この釣糸保持部材４６に対してスプールの軸方向に沿って対向するスプールの部位５２ａとの間に、釣糸巻回胴部１６ａから引出された釣糸の一部８ａを軸方向に沿う前後から挟持する挟持溝５６を形成した魚釣用スピニングリール。【選択図】    図３
2010200619.tif 000002
【特許請求の範囲】
【請求項１】
釣糸が巻回される釣糸巻回胴部の前部にフランジを配置し、後部に円筒部を配置したスプールを備え、ハンドルの回転操作に連動して回転するロータの釣糸案内部を介して、前記釣糸巻回胴部の釣糸巻回面上に釣糸を巻回する魚釣用スピニングリールであって、
前記スプールの外面上に釣糸保持部材を装着し、前記釣糸巻回胴部の釣糸巻回面よりも径方向外方部位で、この釣糸保持部材と、この釣糸保持部材に対してスプールの軸方向に沿って対向するスプールの部位との間に、前記釣糸巻回胴部から引出された釣糸の一部を軸方向に沿う前後から挟持する挟持溝を形成したことを特徴とする魚釣用スピニングリール。
【請求項２】
釣糸が巻回される釣糸巻回胴部の前部にフランジを配置し、後部に円筒部を配置したスプールを備え、ハンドルの回転操作に連動して回転するロータの釣糸案内部を介して、前記釣糸巻回胴部の釣糸巻回面上に釣糸を巻回する魚釣用スピニングリールであって、
前記スプールの外周に装着されて釣糸の一部を保持する釣糸保持部材を備え、この釣糸保持部材は、前記釣糸巻回胴部の釣糸巻回面よりも径方向外方部位で、釣糸の一部をスプールの軸方向に沿う前後から挟持する挟持溝を有することを特徴とする魚釣用スピニングリール。
【請求項３】
前記釣糸保持部材は、前記スプールの円筒状部に装着される請求項１又は２に記載の魚釣用スピニングリール。
【発明の詳細な説明】
【技術分野】
【０００１】
本発明は、ハンドルの回転操作に連動して回転するロータの釣糸案内部を介して、スプールの釣糸巻回胴部に釣糸を巻回する魚釣用スピニングリールに関する。
【背景技術】
【０００２】
例えばトローリングを行う際に、両軸リールに代えてスピニングリールを用いたり、より細い釣糸を用いたりすることにより、より厳しい条件下で魚とのファイトを楽しむスポーツフィッシングが行われるようになってきている。
【０００３】
このようなトローリング釣法では、アウトリガーと称するアーム部材をボートの船尾側から側方に張出し、この先端側に設けたラインクリップを介して釣糸および仕掛けを後方に流すことにより、近くに置いた釣り竿から後方に流した釣糸との間隔を広げ、隣接する釣り竿から延びる釣糸同士が互いに絡まらないようにすることがある。
【０００４】
スピニングリールから繰出す釣糸をアウトリガーを用いてボートの側方に張出して後方に流す場合には、波、風向き、ボートの向きの影響等により、スプールからアウトリガーのラインクリップまでの間で、釣糸の弛みすなわち糸フケが発生すると、この釣糸がスプールから外れてロータ側に移動する糸落ちや、ロータに絡まる糸絡みが発生し易くなる。このような糸落ちや糸絡みを防ぐためには、釣糸をスプールに一時的に保持させ、釣糸に張力を付与しておく必要がある。
【０００５】
このようなスピニングリールにおける糸フケを防止するための手段として、種々の手段が開発されている。
【０００６】
例えば、スプールの後側に位置する金属薄板製スカート部の外周に、周方向に延びる溝部を形成し、糸止め本体部の周方向の一部を切り欠いて釣り糸係止部を形成した合成樹脂製の糸止め部材を、この溝部に着脱自在に装着し、周方向に移動自在としたスピニングリールのスプールがある（例えば特許文献１参照）。
【０００７】
また、スプールのスカート部の外周面に浅溝を形成し、スプールの内側に固定した挟着片の屈曲した先端部を、この浅溝に形成した貫通孔から外部に突出させ、この挟着片の先端部の下面と浅溝との間で釣糸を挟着止する釣糸挟着止装置が開発されている（例えば特許文献２参照）。
【先行技術文献】
【特許文献】
【０００８】
【特許文献１】特開２００２−３６０１３３
【特許文献２】実開昭５６−８１８２号公報
【発明の概要】
【発明が解決しようとする課題】
【０００９】
しかし、金属製スカート部の周方向に延びる溝部に糸止め部材を装着したスプールは、軸方向に延びる釣り糸係止部に釣糸を係止した後、釣糸と共に釣り糸巻取り方向に移動し、その弾性力により固定するものであり、釣り糸をスプールの径方向外方から係止する。また、挟着片の先端部の下面と浅溝との間で釣糸を係止する釣糸挟着止装置も、挟着片の先端部により、釣糸を径方向外方から係止したものである。
【００１０】
いずれも、係止された釣糸はスプール径方向外側すなわち釣糸を上から押さえる状態で径方向内方に押圧して保持するものである。また、釣糸を係止させる際には、糸止め部材又は釣糸を巻回胴部の後方に向けて軸方向に移動し、所要部位を係止させた後、この係止された部位と胴部との間で弛みを除去する必要があり、面倒な操作を必要とする。
【００１１】
更に、巻取り状態で魚がヒットし、スピニングリールの釣糸案内部を介して釣糸が急激に引出される際に、釣糸の係止状態を解除しにくく、このため、糸止め部材を折損したり、糸切れが発生することもある。
【００１２】
本発明は、このような事情に基づいてなされたもので、釣糸を係止し易く、かつ、係止状態から急激に釣糸が引出される際に容易に係止状態を解除することのできる魚釣用スピニングリールを提供することを目的とする。
【課題を解決するための手段】
【００１３】
上記目的を達成するため、本発明によると、釣糸が巻回される釣糸巻回胴部の前部にフランジを配置し、後部に円筒部を配置したスプールを備え、ハンドルの回転操作に連動して回転するロータの釣糸案内部を介して、前記釣糸巻回胴部の釣糸巻回面上に釣糸を巻回する魚釣用スピニングリールであって、前記スプールの外面上に釣糸保持部材を装着し、前記釣糸巻回胴部の釣糸巻回面よりも径方向外方部位で、この釣糸保持部材と、この釣糸保持部材に対してスプールの軸方向に沿って対向するスプールの部位との間に、前記釣糸巻回胴部から引出された釣糸の一部を軸方向に沿う前後から挟持する挟持溝を形成した魚釣用スピニングリールが提供される。
【００１４】
更に、釣糸が巻回される釣糸巻回胴部の前部にフランジを配置し、後部に円筒部を配置したスプールを備え、ハンドルの回転操作に連動して回転するロータの釣糸案内部を介して、前記釣糸巻回胴部の釣糸巻回面上に釣糸を巻回する魚釣用スピニングリールであって、前記スプールの外周に装着されて釣糸の一部を保持する釣糸保持部材を備え、この釣糸保持部材は、前記釣糸巻回胴部の釣糸巻回面よりも径方向外方部位で、釣糸の一部をスプールの軸方向に沿う前後から挟持する挟持溝を有する魚釣用スピニングリールが提供される。
【００１５】
前記釣糸保持部材は、前記スプールの円筒状部に装着されることが好ましい。
【発明の効果】
【００１６】
本発明の魚釣用スピニングリールによると、挟持溝が、釣糸巻回胴部の釣糸巻回面よりも径方向外方部位で、スプールの軸方向に沿う前後から釣糸の一部を挟持することにより、スプールの釣糸巻回胴部から繰出された釣糸が、釣糸の巻回方向に沿う状態で保持され、釣糸を係止させ易く、かつ、係止状態から急激に釣糸が引出される際にも釣糸を損傷させることなく容易に係止状態を解除することができる。
【００１７】
釣糸保持部材がスプールの円筒状部に装着される場合には、釣糸の係止および係止解除操作を容易かつ確実に行うことができる。
【図面の簡単な説明】
【００１８】
【図１】本発明の好ましい実施形態による魚釣用スピニングリールの説明図。
【図２】釣糸を係止した状態のスプールの説明図。
【図３】スプールの内部構造を示し、（Ａ）は縦断面図、（Ｂ）はその一部を拡大した断面図、（Ｃ）は変形例の断面図。
【図４】図３のＩＶ−ＩＶ線に沿う断面図。
【図５】リール本体に装着した状態の内部構造を示す説明図。
【図６】ボートからアウトリガーを張出したトローリングの際の説明図。
【図７】図６の一部を拡大した説明図。
【発明を実施するための形態】
【００１９】
図１から図５は、本発明の好ましい実施形態による魚釣用スピニングリール１０を示す。
【００２０】
図１にその全体を示すように、本実施形態の魚釣用スピニングリール１０は、剛性構造のリールボディの一側に固定される着脱可能の蓋体（図示しない）でその内部空間を閉じたリール本体１２を有し、このリール本体１２から上方に延出する脚部１２ａの端部に形成された竿取付部１２ｂを介して釣竿に取り付けられる。このリール本体１２の内部空間内に、ロータ１４を回転駆動してスプール１６に釣糸を巻回するための巻取駆動機構１８と、スプール１６を前後に往復動させるスプール往復動装置２０とが設けられている。
【００２１】
本実施形態の巻取駆動機構１８は、リール本体１２内のハンドル軸２２に固定されたドライブギヤ２４と、このドライブギヤ２４に噛合するピニオンギヤ２６とを備える。ハンドル軸２２はリール本体１２のリールボディと蓋体とにそれぞれ支えられた２つの軸受で回転自在に支えられ、ハンドル２８により回転される。このハンドル２８の回転により、ハンドル軸２２およびドライブギヤ２４を介して駆動されるピニオンギヤ２６は、筒軸３７（図５）の後端部に一体的に形成してあり、この筒軸３７はハンドル軸２２に対して直交する前後方向に延びかつリール本体１２に対して回転自在に支持されている。このピニオンギヤ２６と同軸かつ一体に形成される筒軸３７の先端側に、上述のロータ１４が一体的に取り付けられる（図５）。
【００２２】
この筒軸３７を介してピニオンギヤ２６と共に回転するロータ１４は、ハンドル軸２２側に位置する基端側の径方向に対向した部位から前方に突出する一対のアーム部３０を有し、これらのアーム部３０の先端側にベール支持部材３２を介してベール３４およびラインローラ３６が配置されている。このベール３４およびラインローラ３６は、一方のアーム部３０内に配置した振分け機構により、図１に示す巻取り位置と、図示しない釣糸放出位置とに振分け配置することができる。ハンドル２８を回転すると、ベール３４およびラインローラ３６は、釣糸放出位置に配置されている状態でも、図１に示す巻取り位置に復帰される。釣糸はベール３４からラインスライダー３５を介してラインローラ３６に案内され、このラインローラ３６からスプール１６上に順に巻回される。
【００２３】
このピニオンギヤ２６および筒軸３７内を、スプール軸３８が貫通し、ハンドル軸２２と直交する方向に延在している。このスプール軸３８は、ピニオンギヤ２６と同軸状に配され、このピニオンギヤ２６およびリール本体１２に対してハンドル軸２２と直交する方向に沿って前後動することができる。このスプール軸３８の先端部に、釣糸が巻回されるスプール１６が取り付けられる。
【００２４】
スプール１６をスプール軸３８を介して前後方向に往復動するスプール往復動装置２０は、ピニオンギヤ２６に噛合する連動歯車４０で回転駆動されるカム軸４２を有し、このカム軸で前後方向に移動される摺動体４４がスプール軸３８の後端に取付けられている。ハンドル軸２２が回転されると、ピニオンギヤ２６および連動歯車４０を介して回転駆動されるカム軸４０により、摺動体４４およびこの摺動体が取付けられたスプール軸３８が、ロータ１４の回転と同期して前後方向に往復動される。
【００２５】
このように形成された魚釣用スピニングリール１０は、ハンドル２８を回転操作してハンドル軸２２を回転させると、スプール往復動装置２０の摺動体４４に取付けられたスプール軸３８を介してスプール１６が前後に往復動し、一方、巻取駆動機構１８のドライブギヤ２４とピニオンギヤ２６とを介してロータ１４が回転駆動される。したがって、スプール１６の凹設された釣糸巻回胴部１６ａに、ラインローラ３６で案内された釣糸がほぼ均等に巻回される。
【００２６】
実施形態として、ロータ１４の逆転防止機構を図示してないが、筒部１４ａ内に、このロータ１４の回転状態を、逆転防止状態と正逆転可能状態とに切換える逆転防止機構（図示しない）を設けてもよい。この場合には、リール本体１２の好適位置に設けたレバー（図示しない）により、ロータ１４を釣糸巻取方向（正転方向）および釣糸繰出方向（逆転方向）に自由に回転できる正逆転可能状態と、正転方向にのみ回転可能な逆転防止状態とに切換えることができる。
【００２７】
図２および図３に示すように、スプール１６は、釣糸８が巻回される釣糸巻回胴部１６ａを外周部に凹設し、この釣糸巻回胴部１６ａの前部に前側フランジ１６ｃを配置し、後部にスカート部１６ｃと後側フランジ１６ｄとからなる円筒部を配置した円筒状構造に形成してある。この釣糸巻回胴部１６ａの略円筒状の釣糸巻回面１７には、特に、釣糸巻回面１７上の最も内側の第１層を形成する釣糸８が軸方向に沿って摺動するのを防止する周方向溝１７ａ（図３、５）を形成してもよく、その形状も、円筒状に代え、テーパ状、逆テーパ状あるいは中高形状等、種々の形状に形成することができる。
【００２８】
図２から図４に示すように、このような釣糸巻回胴部１６ａに隣接するスプール１６の外周面上の部位には、本実施形態では、スカート部１６ｂを形成する材料よりも柔軟で弾性を有する、例えばニトリルゴム（ＮＢＲ）や軟質樹脂等の弾性材料で環状構造に形成した釣糸保持部材４６を装着してある。
【００２９】
図３の（Ａ）および（Ｂ）に示す釣糸保持部材４６は、リング状の本体部４８と、この本体部４８の内周側から突出する突条５０とを有する。一方、スプール１６のスカート部１６ｂの前端側すなわち釣糸巻回胴部１６ａに隣接する端部側には、釣糸保持部材４６の本体部４８を収容する収容溝５２を形成し、この収容溝５２の底面には、釣糸保持部材４６の突条５０を嵌合させてこのスプール１６に固定する保持溝５４を形成してある。本実施形態の収容溝５２は、径方向外方および前方に向けて開口する。
【００３０】
このような釣糸保持部材４６の突条５０を、スプール１６の保持溝５４に嵌合し、本体部４８を、収容溝５２に収容すると、この本体部４８の後端面４８ａとスプール１６の部位である収容溝５２の前端面５２ａとがスプール１６の軸方向に沿って対向する。これらの軸方向に沿って対向する２つ面の間により、釣糸８を挟持する挟持溝５６が釣糸巻回胴部１６ａの釣糸巻回面１７よりも径方向外方部位に形成される。
【００３１】
この挟持溝５６は、スカート部１６ｂの外周面上を周方向に沿って延びており、その延設方向の全体にわたって径方向外方に開口する。図３の（Ｂ）に点線で示すように、釣糸巻回胴部１６ａから繰出された釣糸の一部８ａを周方向に沿って挟持溝５６の径方向外方に配置し、挟持溝５６内に押し込むように付勢すると、釣糸保持部材４６が弾性変形し、図３の（Ｂ）に実線で示すように、釣糸の一部８ａが挟持溝５６内に貫入する。この釣糸８の一部８ａは本体部４８の後端面４８ａと収容溝５２の前端面５２ａとで前後から付勢した状態で確実に保持される。この挟持溝５６から外部に延びる自由端側に、付勢力に抗して釣糸の一部８ａを引出すと、図４に示すように、釣糸巻回胴部１６ａ上の釣糸８の弛みが解消される。スプール１６に対する釣糸８の係止を極めて容易かつ確実に行うことができる。
【００３２】
このように一部８ａが係止されることにより、ベール３４が釣糸巻取位置（図２）又は釣糸放出位置（図示しない）のいずれの位置に配置された状態でも、釣糸巻回胴部１６ａ上に巻回された釣糸８に緩みが生じない。挟持溝５６内に挟持する釣糸８の長さを調整することで、保持力を調整することができる。特に、釣糸保持部材４６がスプール１６の円筒状部を形成するスカート部１６ｂに装着されることにより、手元側の広く安定した領域で釣糸８の係止操作を容易に行うことができ、また、係止解除操作は釣糸８を、例えば自由端側から救い上げるようにして挟持溝５６から径方向外方に滑らせることで容易かつ確実に行うことができる。
【００３３】
図２に示すように、このように挟持溝５６でその一部８ａを挟持された釣糸８は、前側フランジ１６ｃの外縁部を超えて前方に繰出され、釣り竿６（図６，７）に設けた釣糸ガイド（図示せず）を介して繰出される。
【００３４】
例えば魚がヒットして釣糸８が前方に繰出されると、挟持溝５６内に挟持された釣糸の一部８ａがこの挟持溝５６から直ちに引出される。挟持溝５６は、釣糸の一部８ａをスプール１６の軸方向に沿う前後から付勢するのみであるため、釣糸の一部８ａに損傷を与えることがない。また、挟持溝５６がスカート部１６ｂの外周面に沿う円弧状の部分で釣糸の一部８ａを挟持するため、挟持溝５６から突出する部位を挟持する力が小さく、したがって、挟持溝５６から離脱する際に、釣糸８に大きな力が作用することもない。
【００３５】
このような挟持溝５６は、釣糸保持部材４６とスプール１６の部位との間に形成するだけでなく、図３の（Ｃ）に示すように、釣糸保持部材４６自身に形成することもできる。この場合も、挟持溝５６は、釣糸巻回胴部１６ａの釣糸巻回面１７よりも径方向外方部位で、スカート部１６ｂの外周面に沿って周方向に延び、径方向外方に開口する。
【００３６】
挟持溝５６を釣糸保持部材４６に直接形成する場合には、挟持溝５６の形成が極めて簡単に行うことができると共に、スプール１６への取付け位置及び取付状態に制約を受けない。
【００３７】
このような挟持溝５６を形成する釣糸保持部材４６は、スカート部１６ｂの全周にわたって連続する環状構造に代え、１つ又は複数の円弧状に形成し、好適な収容溝５２を介してスプール１６のスカート部１６ｂ等に装着してもよい。この場合には、挟持溝５６は、スプール１６の外周面に沿う１つ又は複数の円弧状の溝で形成される。いずれの場合も、釣糸８の導入を容易にするために、挟持溝５６の径方向外側に、図３の（Ｂ）に示すような開先状の案内面５８を形成してもよい。また、挟持溝５６の前側と後側との一方を他方より高くした段差面を形成し、釣糸８を導入するようにしてもよい。更に、釣糸保持部材４６の外周面に、案内溝（図示しない）を形成し、釣糸巻回胴部１６ａと挟持溝５６との間で釣糸８を案内するようにしてもよい。
【００３８】
このような挟持溝５６を形成した魚釣用スピニングリール１０によると、挟持溝５６が、釣糸巻回胴部１６ａの釣糸巻回面１７よりも径方向外方部位で、スプール１６の軸方向に沿う前後から釣糸の一部８ａを挟持することにより、スプール１６の釣糸巻回胴部１６ａから繰出された釣糸８が、釣糸の巻回方向に沿う状態で保持され、釣糸８を係止させ易く、かつ、係止状態から急激に釣糸が引出される際にも釣糸を損傷させることなく容易に係止状態を解除することができる。
【００３９】
挟持溝５６を形成する釣糸保持部材４６は、収容溝５２内に適宜の手段で固定することができ、上述のような突条５０と保持溝５４だけでなく、例えば接着剤を用いてもよく、更に、収容溝５２の前方を閉じた凹溝状に形成し、釣糸保持部材４６を軸方向に移動不能に収容することもできる。
【００４０】
図３の(Ａ）および図５に示すように、スプール１６の軸方向のほぼ中央部の内側には、スプール軸３８に装着するための貫通孔６０を軸心と同心状に配置した支持壁６２を一体に形成し、例えば図示しないドラグ機構を収容する前部凹部６４を形成してある。この支持壁６２のスカート部１６ｂ側からは、例えばドラグ機構の制動板押圧用の押圧スプリングの付勢力を支えるスプリングメタルである六角形状である非円形内周面を有する筒状構造のスプール支持部材６６（図５）が突出する。
【００４１】
一方、図５に示すように、スプール軸３８が摺動自在に貫通する筒軸３７の先端部はロータ１４の前壁１４ｂに回り止め嵌合し、ロータナット６８によりロータ１４と筒軸３７とが強固な一体構造に形成されている。本実施形態のロータナット６８は、例えばボール軸受７０を介してスプール軸３８に対して回転自在でかつスプール軸３８の軸方向移動を阻害しない構造に形成してある。具体的には、スプール１６が最も後方に移動した状態でも、図５に示すようにロータナット６８の前端面６８ａとスプール軸３８に一体的に固定されスプール１６で嵌合支持するスプール支持部材６６の後端面６６ａとの間の間隙Ｓを、相互接触を防止できる程度の極僅かな大きさに形成することにより、上述のスプール往復動装置２０（図１）による軸方向に沿う移動距離を最大としつつ、魚釣用リール１０の全体の軸方向長さを短くしてある。
【００４２】
本実施形態では、これらのロータナット６８とスプール支持部材６６との間の軸方向間隙Ｓを、スプール軸３８に近い中心側で狭くかつスプール軸３８から離隔する外側で広く形成してあり、半径方向断面がスプール軸３８側に向けてテーパ状の形状を形成する。
【００４３】
このように半径方向外方に向けて軸方向間隔が増大する間隙Ｓをロータナット６８の前端面６８ａとスプール支持部材６６の後端面６６ａとの間に形成することにより、スカート部１６ｂの後端側でスカート部１６ｂとロータ１４との間に形成される隙間からスカート部１６ｂの内部に入りこみ、間隙Ｓ内に落ち込んで絡みついただ場合でも、容易に解いて抜き出すことができる。
【００４４】
このような釣糸８の落ち込みあるいは糸絡みは、特に、トローリング釣法等で太いショックリーダーを使用する場合に、その剛性により、釣糸巻回胴部１６ａになじみ難くいために、不意にスプール１６から脱落することで発生することが多く、このような場合であっても、容易に釣糸８を解くことができる。特に、スプール支持部材６６の後端面６６ａと共に間隙Ｓを区画するロータナット６８の前端面６８ａとを、テーパ状に形成したことにより、この前端面６８ａに沿って釣糸８を半径方向外方に案内することができる。
【００４５】
このような、テーパ状の端面６６ａ，６８ａで区画する間隙Ｓは、上述のようなロータの逆転防止機構の切換レバーを設けてないスピニングリールでも、絡んだ糸８を容易に解くことができるため、このような、ロータ１４の逆転ができないスピニングリールに特に有益である。
【産業上の利用可能性】
【００４６】
上述の魚釣用スピニングリール１０は、通常の釣り用として用いることが可能なことは勿論であるが、特に、ボートから仕掛けを流しつつ掛かった魚とのファイトを行うトローリング釣法にも、好適に用いることができる。
【００４７】
例えば図６および図７に示すように、例えばボートＹの船尾側の左舷側位置Ａ、中央位置Ｂおよび右舷側位置Ｃの３つの位置にそれぞれ釣り竿６を設置する場合は、中央位置Ｂに配置した釣り竿６からは釣糸８および仕掛けをそのまま後方に流し、左舷位置Ａおよび右舷位置Ｃに設置した釣り竿６については、側方かつ後方に張出したアウトリガーポールＲを介して流し、隣接する釣糸８との間隔を広げ、それぞれの釣り竿６から延びる釣糸８同士が絡まるのを防止する。
【００４８】
この場合には、図７に示すように、アウトリガーポールＲの先端に設けたラインクリップＬとスピニングリール１０との間で釣糸８が弛むことがある。このような釣糸の弛みは、波によるボートＹの上下動、風向きの変化、更に、ボートＹの進行方向や速度が変化する場合に発生し易い。釣糸８の弛みは、特に、道糸又はショックリーダー等の太い釣糸８を用いるトローリングの場合、スプール１６の釣糸巻回胴部１６ａ上に巻回した釣糸８の緩みおよびスプール１６からの脱落を生じやすいが、上述のように、スプール１６の外周面に挟持溝５６を形成したスピニングリール１０では、釣糸巻回胴部１６ａに隣接した部位で釣糸の一部８ａが挟持されて保持されているため、釣糸８がスピニングリール１０上で緩むことはない。
【００４９】
更に、魚がヒットして急激に釣糸８が引出された場合には、挟持溝５６内の釣糸８は径方向外方から押さえられることなく、スプール１６の軸方向に沿う前後からのみ弾力的に付勢された状態で保持されているだけであるため、この挟持溝５６から容易に外れることができる。このとき、釣糸８および釣糸保持部材４６が損傷することもない。
【００５０】
仮に、釣糸巻回胴部１６ａから脱落した釣糸８が後方の隙間からスプール１６内に落ち込み、ロータナット６８の前端面６８ａとスプール支持部材６６の後端面６６ａとの間の間隙Ｓ内に絡みついた場合でも、テーパ状の端面６６ａ，６８ａを介して容易に解くことができる。
【００５１】
以上、本発明の好ましい実施形態について説明してきたが、本発明は上述の実施形態に限るものではない。例えば、ロータナット６８とスプール支持部材６６との間の間隙Ｓを、径方向外方に向けて軸方向距離を互いに大きく形成するテーパ状の端面６６ａ，６８ａは、挟持溝５６を設けない魚釣用スピニングリールに形成することも可能である。更に、挟持溝５６は、釣糸の一部８ａを径方向に沿って導入又は抜出可能なものであれば、上述の実施形態のようにスプール１６の中心軸線に対して直交する方向に形成するだけでなく、傾斜方向に形成することも可能である。
【符号の説明】
【００５２】
８…釣糸、１０…魚釣用スピニングリール、１４…ロータ、１６…スプール、１６ａ…釣糸巻回胴部、１６ｂ…スカート部（円筒部）、１６ｃ…フランジ、２８…ハンドル、４６…釣糸保持部材、５２ａ…スプールの部分（端面）、５６…挟持溝。
【図１】
2010200619.tif 000003
【図２】
2010200619.tif 000004
【図３】
2010200619.tif 000005
【図４】
2010200619.tif 000006
【図５】
2010200619.tif 000007
【図６】
2010200619.tif 000008
【図７】
2010200619.tif 000009